(57)【特許請求の範囲】
【請求項１】
熱交換器(４)の下流側の空気通路(１４)に配置されたファン(２)と、上記ファン(２)の軸部に出力軸(１３)が連結されたモータ(３)とを備えた空気調和機において、
上記ファン(２)側と上記モータ(３)側とを仕切り、少なくとも一部に断熱空気層(６,７)が設けられた側板部とを備え、
上記側板部は、組み合わせ可能な第１部材(１０)と第２部材(５a,５b)とからなり、
上記第１部材(１０)または上記第２部材(５a,５b)の一方に上記第１部材(１０)または上記第２部材(５a,５b)の他方の側のみに開口する凹部(１１)を設け、その凹部(１１)を上記第１部材(１０)または上記第２部材(５a,５b)の他方により閉じて、上記凹部(１１)に上記断熱空気層(６)を形成したことを特徴とする空気調和機。
【請求項２】
熱交換器(４)の下流側の空気通路(１４)に配置されたファン(２)と、上記ファン(２)の軸部に出力軸(１３)が連結されたモータ(３)とを備えた空気調和機において、
上記ファン(２)側と上記モータ(３)側とを仕切り、少なくとも一部に断熱空気層(６,７)が設けられた側板部とを備え、
上記側板部に上記モータ(３)側のみに開口する凹部(１２)を設け、その凹部(１２)を上記モータ(３)用の防振ゴム(２０)により閉じて、上記凹部(１２)に上記断熱空気層(７)を形成したことを特徴とする空気調和機。
【発明の詳細な説明】
【０００１】
【発明の属する技術分野】
この発明は、空気調和機に関する。
【０００２】
【従来の技術】
従来、空気調和機としては、図３に示すように、熱交換器３４(図４に示す)の下流側に配置されたクロスフローファン３２と、上記クロスフローファン３２の軸部に出力軸４３が連結され、底フレーム３１の右側方に取り付けられたモータ３３とを備えたものがある。この空気調和機は、図４に示すように、熱交換器３４より下流の空気通路４４をモータ３３側と断熱するために、図３に示すクロスフローファン３２とモータ３３との間に側板部３５,４０を配置し、さらにその側板部３５,４０のモータ３３側に凝縮水を排水するための排水路４１,４２を夫々設けている。また、凝縮水の排水路の代わりに、クロスフローファンとモータとの間の側板部に発泡性の断熱材を貼り付けた空気調和機もある。
【０００３】
【発明が解決しようとする課題】
ところが、上記排水路や断熱材を用いた空気調和機では、クロスフローファン３２とモータ３３との間に排水路や断熱材を配置しているため、クロスフローファン３２の軸部とモータ３３とを連結する距離(図３に示すＷ2)が長くなり、回転体であるクロスフローファン３２のバランスが崩れて、振動,騒音が大きくなるという欠点がある。
【０００４】
そこで、この発明の目的は、排水路や断熱材を設けることなく、ファン側とモータ側とを断熱できると共に、ファンの軸部とモータとを連結する距離を短くでき、振動,騒音を低減できる空気調和機を提供することにある。
【０００５】
【課題を解決するための手段】
【０００６】
【０００７】
上記目的を達成するため、請求項１の空気調和機は、熱交換器の下流側の空気通路に配置されたファンと、上記ファンの軸部に出力軸が連結されたモータとを備えた空気調和機において、上記ファン側と上記モータ側とを仕切り、少なくとも一部に断熱空気層が設けられた側板部とを備え、上記側板部は、組み合わせ可能な第１部材と第２部材とからなり、上記第１部材または上記第２部材の一方に上記第１部材または上記第２部材の他方の側のみに開口する凹部を設け、その凹部を上記第１部材または上記第２部材の他方により閉じて、上記凹部に上記断熱空気層を形成したことを特徴としている。
【０００８】
上記請求項１の空気調和機によれば、上記熱交換器の下流側の空気通路に配置されたファン側とそのファンの軸部に出力軸が連結されたモータ側とを、少なくとも一部に断熱空気層が設けられた側板部により仕切ることによって、排水路や断熱材を設けることなく、ファン側とモータ側とを断熱できる。また、上記断熱空気層が設けられた側板部を用いることによって、排水路や断熱材を用いた場合に比べてファンの軸部とモータとを連結する距離を短くでき、振動,騒音を低減できる。また、上記第１部材または第２部材の一方に第１部材または第２部材の他方の側のみに開口する凹部を設け、その凹部を第１部材または第２部材の他方により閉じて、密閉された断熱空気層を凹部に形成するので、断熱空気層を有する側板部を簡単な形状の第１,第２部材に分割でき、第１,第２部材を容易に製作できる。
【０００９】
また、請求項２の空気調和機は、熱交換器の下流側の空気通路に配置されたファンと、上記ファンの軸部に出力軸が連結されたモータとを備えた空気調和機において、上記ファン側と上記モータ側とを仕切り、少なくとも一部に断熱空気層が設けられた側板部とを備え、上記側板部に上記モータ側のみに開口する凹部を設け、その凹部を上記モータ用の防振ゴムにより閉じて、上記凹部に上記断熱空気層を形成したことを特徴としている。
【００１０】
上記請求項２の空気調和機によれば、上記熱交換器の下流側の空気通路に配置されたファン側とそのファンの軸部に出力軸が連結されたモータ側とを、少なくとも一部に断熱空気層が設けられた側板部により仕切ることによって、排水路や断熱材を設けることなく、ファン側とモータ側とを断熱できる。また、上記断熱空気層が設けられた側板部を用いることによって、排水路や断熱材を用いた場合に比べてファンの軸部とモータとを連結する距離を短くでき、振動,騒音を低減できる。また、上記モータの固定および振動吸収のための上記防振ゴムを利用して、上記側板部の凹部の開口を閉じて、密閉された断熱空気層をその凹部に形成するので、断熱空気層を有する側板部を簡単な形状にでき、側板部を容易に製作できる。
【００１１】
【発明の実施の形態】
以下、この発明の空気調和機を図示の実施の形態により詳細に説明する。
【００１２】
図１はこの発明の実施の一形態の空気調和機の要部断面図であり、１は底フレーム、２は熱交換器４(図２に示す)の下流側の空気通路１４に配置されたクロスフローファン、３は上記クロスフローファン２の軸部に出力軸１３が連結されたモータである。図１に示すように、上記底フレーム１に、クロスフローファン２側とモータ３側とを仕切るための第１部材としての肉厚の半円形状の後方側板部１０を設けている。上記底フレーム１と後方側板部１０とを一体成形している。上記後方側板部１０の上側に、前方にのみ開口する凹部１１を設けると共に、後方側板部１０の凹部１１の下側に、前方にのみ開口する凹部１２を設けている。なお、図１では図示していないが、底フレーム１とは別体のモータ押さえカバー５(図２に示す)を取り付けている。
【００１３】
また、図２は上記空気調和機の図１のII−II線から見た断面図である。上記モータ押さえカバー５に、図示しない半円筒形状の本体部の一端に連結部５bを介して扇形状の前方側板部５aを設けている。上記底フレーム１の後方側板部１０の凹部１１の前方に開口する開口部１１aをモータ押さえカバー５の連結部５bにより覆うことにより、凹部１１を密閉して、第１断熱空気層６を形成している。なお、上記扇形状の前方側板部５aと連結部５bとで後方側板部１０と組み合わせ可能な第２部材を構成している。
【００１４】
一方、上記底フレーム１の後方側板部１０の凹部１２の前方に開口する開口部１２aを、モータ３(図１に示す)の固定と振動吸収のための防振ゴム２０により閉じて、密閉された第２断熱空気層７を凹部１２に形成している。上記後方側板部１０に設けられた湾曲部１０aとモータ押さえカバー５に設けられた湾曲部５cで防振ゴム２０を挟んで保持している。こうして、上記底フレーム１の後方側板部１０と、モータ押さえカバー５の前方側板部５aとで、クロスフローファン２側とモータ３側とを仕切る。なお、上記前方側板部５a,連結部５bおよび湾曲部５cを有するモータ押さえカバー５は一体成形されている。
【００１５】
このように、上記後方側板部１０に第１,第２断熱空気層６,７を設けることによって、排水路や断熱材を設けることなく、クロスフローファン２側とモータ３側とを断熱することができると共に、クロスフローファン２の軸部とモータ３とを連結する距離(すなわち、図１に示すクロスフローファン２の右端面と防振ゴム２０との間の距離Ｗ1)を短くでき、振動,騒音を低減することができる。
【００１６】
また、上記第１部材としての後方側板部１０に第２部材としての前方側板部５a,連結部５b側のみに開口する凹部１１を設け、その凹部１１を連結部５bにより閉じて、凹部１１に密閉された断熱空気層６を形成するので、断熱空気層６を有する側板部を簡単な形状の第１,第２部材に分割でき、第１,第２部材を容易に製作できる。
【００１７】
また、上記モータ３の固定および振動吸収のための防振ゴム２０を利用して、後方側板部１０の凹部１２の開口を閉じて、密閉された断熱空気層７を凹部１２に形成するので、断熱空気層７を有する後方側板部１０を簡単な形状にでき、後方側板部１０を有する底フレーム１を容易に製作できる。
【００１８】
上記実施の形態では、上記底フレーム１の後方側板部１０と、モータ押さえカバー５の前方側板部５a,連結部５bとで、クロスフローファン２側とモータ３側とを仕切る側板部を形成したが、上記側板部の構成はこれに限らず、２枚の側板をモータの軸方向に所定の間隔をあけて配置して、両側板の内側に断熱空気層を形成してもよい。
【００１９】
また、上記実施の形態では、後方側板部１０の一部に第１,第２断熱空気層６,７を設けたが、側板部の断熱空気層はこれに限らず、側板部の少なくとも一部または略全部に断熱空気層を設けたものであればよい。
【００２０】
また、上記実施の形態では、後方側板部１０を底フレーム１に一体に形成したが、側板部は底フレームと別体に製作したものでもよい。また、モータ押さえカバー５に第２部材としての前方側板部５b,連結部５bを一体に形成したが、第２部材はモータ押さえカバーと別体に製作したものでもよい。
【００２１】
さらに、上記実施の形態では、クロスフローファン２を用いた空気調和機について説明したが、遠心ファン等を用いた空気調和機にこの発明を適用してもよい。
【００２２】
【発明の効果】
【００２３】
【００２４】
以上より明らかなように、請求項１の発明の空気調和機は、熱交換器の下流側の空気通路に配置されたファンと、上記ファンの軸部に出力軸が連結されたモータとを備えた空気調和機において、少なくとも一部に断熱空気層が設けられた側板部により、ファン側とモータ側とを仕切ったものであり、上記側板部は、組み合わせ可能な第１部材と第２部材とからなり、上記第１部材または第２部材の一方に第１部材または第２部材の他方の側のみに開口する凹部を設け、組み合わされた状態でその凹部を第１部材または第２部材の他方により閉じて、密閉された断熱空気層を凹部に形成するものである。
したがって、請求項１の発明の空気調和機によれば、上記熱交換器の下流側の空気通路に配置されたファン側とそのファンの軸部に出力軸が連結されたモータ側とを、少なくとも一部に断熱空気層が設けられた側板部により仕切ることによって、排水路や断熱材を設けることなく、ファン側とモータ側とを断熱することができると共に、排水路や断熱材を用いた場合に比べてファンの軸部とモータとを連結する距離を短くでき、振動,騒音を低減することができる。
また、断熱空気層を有する側板部を簡単な形状の第１,第２部材に分割でき、第１,第２部材を容易に製作することができる。
【００２５】
また、請求項２の発明の空気調和機は、熱交換器の下流側の空気通路に配置されたファンと、上記ファンの軸部に出力軸が連結されたモータとを備えた空気調和機において、少なくとも一部に断熱空気層が設けられた側板部により、ファン側とモータ側とを仕切ったものであり、上記側板部に上記モータ側のみに開口する凹部を設け、上記モータの固定および振動吸収のための防振ゴムを利用して、上記側板部の凹部の開口を閉じて、密閉された断熱空気層をその凹部に形成するものである。
したがって、請求項２の発明の空気調和機によれば、上記熱交換器の下流側の空気通路に配置されたファン側とそのファンの軸部に出力軸が連結されたモータ側とを、少なくとも一部に断熱空気層が設けられた側板部により仕切ることによって、排水路や断熱材を設けることなく、ファン側とモータ側とを断熱することができると共に、排水路や断熱材を用いた場合に比べてファンの軸部とモータとを連結する距離を短くでき、振動,騒音を低減することができる。
また、断熱空気層を有する側板部を簡単な形状にでき、側板部を容易に製作することができる。
【図面の簡単な説明】
【図１】  図１はこの発明の実施の一形態の空気調和機の要部断面図である。
【図２】  図２は図１のII−II線から見た断面図である。
【図３】  図３は従来の空気調和機の要部断面図である。
【図４】  図４は図３のIV−IV線から見た断面図である。
【符号の説明】
１…底フレーム、２…クロスフローファン、
３…モータ、４…熱交換器、
５…モータ押さえカバー、５a…前方側板部、
５b…連結部、１０…後方側板部、
６…第１断熱空気層、７…第２断熱空気層、
１１,１２…凹部、１１a,１２a…開口部、
１３…出力軸、１４…空気通路。
【図１】
0003896731.tif 000002
【図２】
0003896731.tif 000003
【図３】
0003896731.tif 000004
【図４】
0003896731.tif 000005